(57)【要約】【課題】傘を差した場合に椅子後側の通路の通行を妨げず、見た目の体裁も良く、使用時に取付壁面に密着させた状態にすることができ、省スペースの傘立てとして利用でき、傘立てとして使用しない場合はパチンコ台又はスロット台等の遊技機の座席間の仕切板としても利用できる傘立てを提供する。【解決手段】傘立ては、軸受部を有し、遊技機の下方の壁面に固着可能な取付部材と、水平方向に回動可能に軸受部と係合した軸部を有し、傘が挿入される傘保持部材が少なくとも一方の面に設けられた板状部材とを備えている。【選択図】図１
0003173751.tif 000002
【実用新案登録請求の範囲】
【請求項１】
軸受部を有し、遊技機の下方の壁面に固着可能な取付部材と、
水平方向に回動可能に前記軸受部と係合した軸部を有し、傘が挿入される傘保持部材が少なくとも一方の面に設けられた板状部材とを備えていることを特徴とする傘立て。
【請求項２】
前記取付部材は、前記板状部材の回動を前記壁面と略平行の位置又は略垂直の位置で固定可能な回動位置規制部を備えていることを特徴とする請求項１に記載の傘立て。
【請求項３】
前記回動位置規制部は、前記取付部材の前記軸受部の上端に設けられ、前記板状部材の一部に係合する第１の切り欠き部及び第２の切り欠き部から構成されていることを特徴とする請求項２に記載の傘立て。
【請求項４】
前記傘保持部材は、折畳み可能であり前記傘が挿通される半リング状部材と、該半リング状部材を回動可能に軸支する軸支部材とを備えていることを特徴とする請求項１から３のいずれか１項に記載の傘立て。
【請求項５】
前記板状部材は前記半リング状部材が挿通する切り抜き部を有し、該切り抜き部は、前記半リング状部材の回動を前記板状部材と略平行の位置又は垂直の位置で固定可能とする凸部を備えていることを特徴とする請求項４に記載の傘立て。
【請求項６】
前記板状部材は、主に透明の材料から形成されていることを特徴とする請求項１から５のいずれか１項に記載の傘立て。
【考案の詳細な説明】
【技術分野】
【０００１】
本考案は、パチンコ台、スロット台等の遊技機を設置した壁面に取り付けて利用される傘立てに関する。
【背景技術】
【０００２】
従来、この種の遊技機店内に使用する傘立てとして、パチンコ店の椅子用傘立てが提案されている（例えば、特許文献１）。
【０００３】
特許文献１に提案されているパチンコ店の椅子用傘立ては、ゲーム用椅子の支柱の上端後部に帯状の固定部を固定し、この固定部の後端に円錘台状の受け筒を固定し、その内部に筒部を挿入して構成されている。この場合、筒部がゲーム用椅子の後側に露出しており、雨傘は筒部に上方から挿入される。
【先行技術文献】
【特許文献】
【０００４】
【特許文献１】実用新案登録第３０８５４９２号公報
【考案の概要】
【考案が解決しようとする課題】
【０００５】
特許文献１に記載されたパチンコ店の椅子用傘立ては、傘を挿入する筒部がゲーム用椅子の後側に露出しているため、傘を差した場合、椅子後側の通路の通行を妨げるという問題点があった。また、見た目にも体裁が悪いという問題点があった。
【０００６】
従って、本考案はこのような問題点を解消することを目的としている。即ち、本考案の目的は、傘を差した場合に椅子後側の通路の通行を妨げず、見た目の体裁も良い傘立てを提供することにある。
【０００７】
本考案の他の目的は、使用時に取付壁面に密着させた状態にすることができ、省スペースの傘立てとして利用できる傘立てを提供することにある。
【０００８】
本考案のさらに他の目的は、傘立てとして使用しない場合はパチンコ台又はスロット台等の遊技機の座席間の仕切板としても利用できる傘立てを提供することにある。
【課題を解決するための手段】
【０００９】
本考案によれば、傘立ては、軸受部を有し、遊技機の下方の壁面に固着可能な取付部材と、水平方向に回動可能に軸受部と係合した軸部を有し、傘が挿入される傘保持部材が少なくとも一方の面に設けられた板状部材とを備えている。
【００１０】
板状部材は、軸受部に水平方向に回動可能に係合される軸部を有し、傘が挿入される傘保持部材を設けていることにより、傘立てとして使用する場合に、取り付けされている壁面と略平行となる位置に回動させることで、傘を遊技機を設置した壁面の膳板の下に収納することができ、従来のような椅子後側の通路の通行を妨げることがなく、また、見た目にも体裁が悪くならない。さらに、傘立てとして使用しない場合は遊技機の座席間の仕切板としても利用することが可能となる。一方、傘立てとして使用しない場合に、取り付けされている壁面と略平行となる位置に回動させ、傘立てとして使用する場合に取り付けされている壁面と略垂直となる位置に回動させても良い。後者の場合、傘保持部材を板状部材の両面に設けておけば、隣の遊技機用の傘立てとしても使用することができる。もちろん、傘保持部材を板状部材の片面のみに設けておいても良い。
【００１１】
取付部材は、板状部材の回動を壁面と略平行の位置又は略垂直の位置で固定可能な回動位置規制部を備えていることが好ましい。これにより、板状部材が壁面と略平行の位置又は略垂直の位置に安定して保持されることが可能である。
【００１２】
この回動位置規制部は、取付部材の軸受部の上端に設けられ、板状部材の一部に係合する第１の切り欠き部及び第２の切り欠き部から構成されていることがより好ましい。これにより、回動位置規制部を他の部品なしに、簡単な構成で実現することができる。
【００１３】
傘保持部材は、折畳み可能であり傘が挿通される半リング状部材と、半リング状部材を回動可能に軸支する軸支部材とを備えていることが好ましい。傘保持部材を折畳み収納することが可能であるため、座席間の仕切板として利用する際にも邪魔にならない。
【００１４】
板状部材は半リング状部材が挿通する切り抜き部を有し、この切り抜き部は、半リング状部材の回動を板状部材と略平行の位置又は垂直の位置で固定可能とする凸部を備えていることが好ましい。これにより、傘保持部材が板状部材と略平行の位置又は略垂直の位置に安定して保持される
【００１５】
板状部材は、主に透明の材料から形成されていることが好ましい。これにより、遊技機に対する不正操作を未然に防止することが可能となる。
【考案の効果】
【００１６】
本考案によれば、傘立てとして使用する場合に、取り付けされている壁面と略平行となる位置に回動させることで、傘を差した場合に椅子後側の通路の通行を妨げず、見た目の体裁も良い。また、使用時に取付壁面に密着させた状態にすることができ、省スペースの傘立てとして利用できる。さらに、傘立てとして使用しない場合は遊技機の座席間の仕切板としても利用することが可能となり、隣の座席から足が進入するような不都合を未然に防止することができる。
【００１７】
また、本考案の傘立ては、傘保持部材を収納することができるため、パチンコ遊技機等の座席間の仕切板として利用する際に、傘保持部材が邪魔にならない。
【図面の簡単な説明】
【００１８】
【図１】本考案の一実施形態における傘立ての構成を概略的に示す斜視図である。
【図２】図１に示した傘立ての取付部材の構成を示す正面図及び側面図である。
【図３】図１に示した傘立ての板状部材及び傘保持部材の構成を示す平面図である。
【図４】図１に示した傘立ての設置位置及び使用状態を概略的に示す平面図である。
【図５】本考案の他の実施形態における傘立ての構成及び使用状態を概略的に示す平面図である。
【考案を実施するための形態】
【００１９】
以下、本考案に係る傘立ての実施形態について、図を参照して説明する。
【００２０】
図１は本考案の一実施形態における傘立て１００の構成を概略的に示しており、図中の二点鎖線は、板状部材２０の回動が、例えばパチンコ台又はスロット台等の遊技機（以下、パチンコ台の例で説明する）を設置した取付壁面と略平行する位置に固定されており、かつ傘Ｕが挿入されている形態を示している。図２は図１に示した傘立て１００の取付部材１０の構成を示しており、（ａ）は取付部材１０の正面図であり、（ｂ）は取付部材１０を左側から見た側面図である。図３は図１に示した傘立て１００の板状部材２０及び傘保持部材３０の構成を示している。
【００２１】
図１〜３に示すように、傘立て１００は、取付部材１０と、板状部材２０と、傘保持部材３０とを備えている。板状部材２０は取付部材１０に水平方向に回動可能に軸支されている。また、傘保持部材３０は、本実施形態では、板状部材２０の片面に回動可能に軸支されている。
【００２２】
取付部材１０は、パチンコ台の下方の壁面に取り付けるためのものであり、本実施形態において、例えば、金属板材からプレス加工により成形されている。この取付部材１０は、板状の取付部１１と、この取付部１１の表面から突出して形成された半筒状の軸受部１２と、軸受部１２の上端に設けられた第１の切り欠き部１３及び第２の切り欠き部１４と、第１の切り欠き部１３と第２の切り欠き部１４との間に形成された曲線状の摺動面を有する摺動部１５と、軸受部１２の上端の上方位置及び下端の下方位置における取付部１１に設けられた切り抜き部１６とを備えている。
【００２３】
取付部材１０において、取付部１１は、壁面に取り付けるために、その裏面である取り付け面に接着剤層が形成されている。この例では、両面テープが貼り付けされており、この両面テープを介して壁面に取り付けられる。なお、取付部１１に取付用貫通穴を設けて、ネジで壁面に取り付けるようにしてもよい。
【００２４】
また、取付部材１０において、第１の切り欠き部１３と第２の切り欠き部１４とは、回動位置規制部として板状部材２０の回動を壁面と略平行の位置又は略垂直の位置で固定するためのものである。これら第１の切り欠き部１３と第２の切り欠き部１４とにより、板状部材２０は壁面と略平行の位置又は略垂直の位置に安定して保持される。しかも、他の部品が必要とせず、簡単な構成でこの回動位置固定を実現することができる。また、第１の切り欠き部１３と第２の切り欠き部１４との間に曲線状の摺動面を有する摺動部１５を形成することで、板状部材２０を、壁面と略平行の位置と略垂直の位置との間でスムーズに回動させることができる。
【００２５】
板状部材２０は、透明板２１と、軸部２２と、この軸部２２を透明板２１の一辺の両端に装着するために軸部２２と一体的に形成された装着部２３ａ及び２３ｂと、管状の補強部材２２ａと、傘保持部材３０の半リング状部材３１が挿通する切り抜き部２４とを備えている。なお、透明板２１が十分な強度を有する場合は、補強部材２２ａを設けなくてもよい。
【００２６】
板状部材２０において、透明板２１は、２つの角部が丸く形成されたほぼ矩形形状の透明の樹脂板から形成されている。この透明板２１には、軸部２２が装着されている辺以外の３辺にエッジを保護するための保護材２１ａが装着されている。保護材２１ａの両端は止め具２１ｂによって透明板２１に固定されている。軸部２２と装着部２３ａ及び２３ｂとは、２枚の金属板からプレス加工により成形されている。装着部２３ａ及び２３ｂは、透明板２１を挟むようにネジＳにより透明板２１の両面に装着されている。また、２つの軸部２２に管状の補強部材２２ａが挿入されて固着されている。また、透明板２１には、図３に示す面の右上の角部に２つの切り抜き部２４が透明板２１の辺に斜めの方向において互いに平行に設けられている。切り抜き部２４の片側には、傘保持部材３０の半リング状部材３１を板状部材２０とほぼ平行な折畳み位置に又はほぼ垂直な展開位置に規制する凸部２４ａが形成されている。なお、補強部材２２ａは、管状以外の柱状のものを用いてもよい。
【００２７】
傘保持部材３０は、金属線材を両端が自由端である半リング形状に成形して構成され、折畳み可能であり傘が挿通される半リング状部材３１と、透明板２１に固着されておりこの半リング状部材３１を回動可能に軸支する軸支部材３２ａ及び３２ｂとを備えている。半リング状部材３１は、例えば、傘Ｕを挿入する湾曲部３１ａと、この湾曲部３１ａの両端に連続する２つの直線状の軸部３１ｂとを有している。軸部３１ｂは、軸支部材３２ａ及び３２ｂの軸受部により透明板２１の表面に回動可能に軸支されている。軸支部材３２ａ及び３２ｂは、透明板２１の２つの切り抜き部２４の間の位置において、透明板２１を挟むようにネジ３３によりこの透明板２１の両面に固着されている。なお、軸支部材３２ａ及び３２ｂは、水平線に対して所定角度αに傾斜して配置される（図３参照）。これにより、展開した半リング状部材３１に傘Ｕを容易に挿入することができる。即ち、傘立てとして利用する場合は、半リング状部材３１を回動させ、透明板２１とほぼ垂直となるように展開した状態として、傘を挿入する。また、傘立てとして使わない場合は、半リング状部材３１を回動させ、透明板２１とほぼ平行となるように折畳んで収納する。透明板２１の切り抜き部２４の凸部２４ａは、傘保持部材３０の半リング状部材３１をこの２つのいずれかの状態に保持させることができる。また、半リング状部材３１が両端が自由端である金属線材で形成されているため、これが回動して凸部２４ａを通過するときに変形するから容易に通過することができる。
【００２８】
実施例として、取付部材１０は、厚さ１ｍｍの板材からプレス加工によって形成されている。ここで、取付部１１は、幅４０ｍｍ、長さ３００ｍｍである。板状部材２０の透明板２１は、厚さ２ｍｍの透明アクリル板から、２００ｍｍ×２９０ｍｍの寸法に形成されている。また、傘保持部材３０は、直径３ｍｍのステンレス線材から形成されている。
【００２９】
図４は図１に示した傘立て１００の設置位置及び使用状態の一例を示している。図４に示すように、傘立て１００は、パチンコ台Ｐを設置した壁面Ｗに取付けられている。取付け位置は、膳板Ｔの下方であって２台のパチンコ台Ｐの中間の位置である。板状部材２０が壁面Ｗと平行の位置にある状態で傘保持部材３０に傘Ｕを挿入しても良いし、傘保持部材３０に傘Ｕを挿入した後、板状部材２０を壁面Ｗと平行となるように回動させても良い。後者の場合、傘立て１００が膳板Ｔを有するパチンコ台Ｐの下方の壁面Ｗに設置されている場合にも、傘Ｕを挿入する際に膳板Ｔが邪魔になることはない。また、傘立てに挿入した傘Ｕを膳板Ｔの下側に隠すことができる。
【００３０】
図４中の傘立て１００’は、傘保持部材３０の半リング状部材３１が板状部材２０とほぼ平行となるように折畳まれ収納されて、座席間の仕切板として利用されている状態である。
【００３１】
上述したように、本実施形態における傘立て１００及び１００’は、壁面に取り付け可能な取付部材１０と、軸部２２を介して取付部材１０に水平方向に回動可能に装着されている板状部材２０と、板状部材２０の片面に設けられた傘保持部材３０とを備えている。これにより、傘立てとして利用する際に、取り付けされている壁面Ｗと平方となるように板状部材２０を回動させ、取付壁面に密着させた状態にすることで、パチンコ台Ｐの膳板Ｔの下に収納することができ、従来のような椅子後側の通路の通行を妨げることがなく、また、見た目にも体裁が悪くならない。さらに、傘立てとして使用しない場合はパチンコ台の座席間の仕切板としても利用することができ、隣の座席から足が進入するような不都合を未然に防止することができる。板状部材２０は、主に透明の材料から形成されていることにより、遊技機に対する不正操作を未然に防止することができる。
【００３２】
また、傘立て１００は、傘保持部材３０の半リング状部材３１を折畳んで収納することができるため、座席間の仕切板として利用する際に、傘保持部材３０が邪魔になることはない。
【００３３】
図５は本考案の他の実施形態における傘立て１００Ａの構成及び使用状態を概略的に示している。図５に示すように、傘立て１００Ａは、取付部材１０と、板状部材２０と、傘保持部材３０とを備えている。本実施形態においては、板状部材２０の両面にそれぞれ傘保持部材３０が設けられていることを除いて、図１〜４の実施形態における傘立て１００の場合と同様の構成を有している。
【００３４】
図５に示すように、本実施形態の傘立て１００Ａは、傘立てとして使用する場合、板状部材２０が壁面Ｗと垂直となるように引き出し、両方の傘保持部材３０の半リング状部材３１を展開させ、傘Ｕをそれぞれ挿入することにより、両側の座席（椅子Ｃ）から利用することができる。
【００３５】
なお、以上述べた実施形態の傘立て１００、１００’及び１００Ａにおいて、取付部材１０は、金属板材からプレス加工により一体的に成形された構成としたが、本考案はこれに限定されるものではない。例えば、板状の取付部の表面に筒状の軸受部を溶接等の方法で設けるようにしてもよい。
【００３６】
また、上述した実施形態の傘立て１００、１００’及び１００Ａにおいて、透明板２１は、透明の樹脂板材から形成される構成としたが、本考案はこれに限定されるものではない。例えば透明のガラス板等の他の材料から形成するようにしてもよい。
【００３７】
また、上述した実施形態の傘立て１００、１００’及び１００Ａにおいて、傘保持部材３０の半リング状部材３１は、金属線材を両端が自由端である半リング形状に形成した構成としたが、本考案はこれに限定されるものではない。
【００３８】
また、上述した実施形態の傘立て１００、１００’及び１００Ａにおいて、傘保持部材３０を杖又は板状部材を保持できる形状にすることで、杖又は板状部材の保持装置としても利用できる。
【産業上の利用可能性】
【００３９】
本考案は、遊技機店等の店内において、傘を傘立てに差した状態でも通路の通行を妨げることがなく、かつ見た目にも体裁が悪くならないようにする目的に利用できる。
【符号の説明】
【００４０】
１０  取付部材
１１  取付部
１２  軸受部
１３  第１の切り欠き部
１４  第２の切り欠き部
１５  摺動部
１６  切り抜き部
２０  板状部材
２１  板
２１ａ  保護材
２１ｂ  止め具
２２  軸
２３ａ、２３ｂ  装着部
２４  切り抜き部
２４ａ  凸部
３０  傘保持部材
３１  湾曲部
３１  半リング状部材
３１ａ  湾曲部
３２ａ、３２ｂ  軸支部材
３３、Ｓ  ネジ
１００、１００’、１００Ａ  傘立て
Ｃ  椅子
Ｐ  パチンコ台
Ｔ  膳板
Ｕ  傘
【図１】
0003173751.tif 000003
【図２】
0003173751.tif 000004
【図３】
0003173751.tif 000005
【図４】
0003173751.tif 000006
【図５】
0003173751.tif 000007